(57)【要約】【課題】キッチンで発生する蒸気や臭気を効果的に排気し、快適なキッチン空間を提供することを目的とする。【解決手段】加熱調理器１０を配設したワークトップ９の上方にレンジフード１３と吊り戸棚１４を隣接して設置し、吊り戸棚１４の底面１４ａに設置した中空構造の飾縁１５の一端をレンジフード１３の内部に連通開放し、飾縁に１個以上の吸気口１５ｂを設けることにより、飾縁１５の下方に設置した調理器具や食材から発生する蒸気や臭気を吸引し、レンジフード１３で屋外に排気することができ、快適なキッチン空間を提供することができる。【選択図】図１
2006167158.tif 000002
【特許請求の範囲】
【請求項１】
加熱調理器を配設したワークトップの上方にレンジフードと吊り戸棚を隣接して設置し、吊り戸棚の底面に設置した中空構造の飾縁の一端をレンジフードの内部に連通開放し、飾縁に１個以上の吸気口を設けた厨房装置。
【請求項２】
吸気口が飾縁の略全幅にわたり設けたスリットである請求項１に記載の厨房装置。
【請求項３】
吸気口の一部を閉塞する着脱自在な閉塞手段を設けた請求項１または２に記載の厨房装置。
【発明の詳細な説明】
【技術分野】
【０００１】
本発明はキッチン空間で使用する換気装置に関する。に関するものである。
【背景技術】
【０００２】
従来、この種の厨房装置は、キッチンの加熱調理器以外の蒸気や臭気を発生する器具の排気をする場合器具の上部に専用のフードを設置し、専用フードとレンジフードをダクトで接続し、専用フードで捕集した蒸気や臭気をダクトを介してレンジフードで排気している（例えば、特許文献１参照）。
【０００３】
図８は、特開文献１に記載された従来の厨房装置を示すものである。図８に示すように、キッチンカウンター１の上面にはコンロ２と調理器具３を設置し、キッチンカウンター１の上方にはレンジフード４と吊り戸棚５を設置し、調理器具３に対応する吊り戸棚５の底面に専用のフード６を設置し、レンジフード４とフード６をダクト７で接続した構成である。
【特許文献１】実開平５−５２６４０号公報
【発明の開示】
【発明が解決しようとする課題】
【０００４】
しかしながら、前記従来の構成では、設置する調理器具ごとに個別にフードを設置する必要があり、また調理器具を設置する位置はフードの下方に限定されるため、使用できる器具の数や位置が限定されるため使い勝手が悪く、またフードを設置するため意匠的な見映えが悪いという課題を有していた。
【０００５】
本発明は、前記従来の課題を解決するもので、キッチンで発生する蒸気や臭気を効果的に排気し、使い勝手がよく、見映えも良い快適なキッチン空間を提供することを目的とする。
【課題を解決するための手段】
【０００６】
前記従来の課題を解決するために、本発明の厨房装置は、加熱調理器を配設したワークトップの上方にレンジフードと吊り戸棚を隣接して設置し、吊り戸棚の下面に設置した中空構造の飾縁の一端をレンジフードの内部に連通開放し、飾縁に吸気口を設けたものである。
【０００７】
これによって、加熱調理器以外のキッチンスペースで蒸気や臭気を発生する器具や材料を使用した場合、飾縁の吸気口から蒸気や臭気を吸引し、レンジフードを介して屋外に排気することができる。
【発明の効果】
【０００８】
以上のように、請求項１から３のいずれか１項記載の発明によれば、キッチンの広い範囲で器具や食材から発生する蒸気や臭気を効果的に排気でき、快適なキッチン空間を提供することができる。
【発明を実施するための最良の形態】
【０００９】
第１の発明は加熱調理器を配設したワークトップの上方にレンジフードと吊り戸棚を隣接して設置し、吊り戸棚の底面に設置した中空構造の飾縁の一端をレンジフードのフード内部に連通開放し、飾縁に１個以上の吸気口を設けることにより、加熱調理器以外のキッチンスペースで蒸気や臭気を発生する器具や食材を使用した場合、飾縁の吸気口から蒸気や臭気を吸引し、レンジフードを介して屋外に排気することとなりキッチンの広い範囲で器具や材料から発生する蒸気や臭気を効果的に排気でき、快適なキッチン空間を提供することができる。
【００１０】
第２の発明は、特に第１の発明の吸気口が飾縁の略全幅にわたり設けたスリットとすることにより、飾縁を設置した全ての場所で効果的に蒸気や臭気を吸引することができることとなり蒸気や臭気が発生する器具や食材を使用する場所が限定されず、使い勝手のよいキッチンを提供することができる。
【００１１】
第３の発明は、特に、第１または第２の発明の吸気口の一部を閉塞する着脱自在な閉塞手段を設けたことにより、吸引に必要な場所のみ吸気口を開放することができることとなり吸引排気を効果的に行うことができ、またレンジフードの排気能力を低減することができ、騒音や電気代を低減することができる。
【００１２】
以下、本発明の実施の形態について、図面を参照しながら説明する。なお、この実施の形態によって本発明が限定されるものではない。
【００１３】
（実施の形態１）
図１は本発明の第１の実施の形態における厨房装置の斜視図を示し、図２は同厨房装置の正面図を示し、図３は同厨房装置の図２に示すＡＡ断面図を示し、図４は同厨房装置の飾縁の前辺部の背面からの斜視図を示し、図５は同厨房装置の図4に示す飾縁の前辺部のＢＢ断面図を示すものである。
【００１４】
図に示すように本実施の形態の厨房装置はキャビネット８の上部に設置したワークトップ９には、ガスあるいは電気を熱源としたコンロや魚焼き器の機能を備えた加熱調理器１０とシンク１１が間隔を空けて配置してあり、ワークトップ９のそれ以外のスペースは調理作業で使用する調理スペース９ａやジャーポット１２などの調理器具を載置して使用できる載置スペース９ｂとして活用できる構成となっている。
【００１５】
ワークトップ９の上方には、特に加熱調理器１０に対応する位置にはレンジフード１３が設置してありレンジフード１３の内部には排気用のファンユニット１３ａが設置してある。レンジフード１３と隣接して吊り戸棚１４が設置してあり、吊り戸棚１４は前記シンク１１と調理スペース９ａと載置スペース９ｂのほぼ全幅をカバーしている。
【００１６】
吊り戸棚１４の底面１４ａには、アルミ材を押し出し成型し、表面に化粧処理を施した中空の略四角柱形状の飾縁１５が略コ字状に設置してあり、飾縁１５の前面はトビラ１４ｂの表面と略同一面であり、飾縁１５の側面は吊り戸棚１４のキャビネット１４ｃの側面と略同一面となるように配置してある。
【００１７】
飾縁１５のレンジフード１３側の端部にはレンジフード１３内に連通する開放部材１６が設置してあり、開放部材１６の下端部は飾縁１５と連通しており、上端はレンジフード１３内に開放している。一方、飾縁１５の他端は閉塞しており外気の流入を防止する構成となっている。
【００１８】
飾縁１５の前辺部１５ａの背面には複数の吸気口１５ｂがほぼ等間隔に配設してあり、吸気口１５ｂは飾縁１５と開放部材１６を介してレンジフード１３内と連通している。吸気口１５ｂは下方にシンク１１やジャーポット１２が配置してある部分は開放しているが、それ以外の吸気口１５は閉塞部材１７で閉塞してある。閉塞部材１７は弾性を備えた樹脂で成型することにより、吸気口１５ｂに着脱自在であり、閉塞位置を自由に選択および変更が可能となっている。
【００１９】
以上のように構成された厨房装置について、以下その動作、作用を説明する。
【００２０】
本厨房装置において調理作業を行うとき、レンジフード１３を運転するとファンユニット１３ａによりレンジフード１３下方の空気を吸引して屋外に排出するとともに、レンジフード１３内に設置した開放部材１６と飾縁１５を介して吸気口１５ｂから吸引した空気も屋外に排出される。
【００２１】
上記レンジフード１３の排出機能により、加熱調理器１０から発生する排ガスや油煙や蒸気は、直接レンジフード１３に吸引されて屋外に排出される。一方、加熱調理器１０以外のシンク１１やジャーポット１２等の調理器具や食材から発生する蒸気や臭気は、上方の吊り戸棚１４に向かって上昇し、吊り戸棚１４の底面１４ａに沿って前方に流れ、飾縁１５の吸気口１５ｂより飾縁１５内に吸引され、開放部材１６よりレンジフード１２内に一旦放出された後、ファンユニット１３ａにより屋外に排出される。
【００２２】
以上のように本実施の形態においては、飾縁の一端をレンジフードの内部に連通開放し、飾縁の背面に複数の吸気口を設けることにより、飾縁の下方に配設したシンクや調理器具から発生する蒸気や臭気を個別の排気手段を設置することなく、１台のレンジフードで屋外に排出することができ、吊り戸棚が蒸気により損傷したり汚れが付着することを防止することができる。
【００２３】
また、閉塞部材からなる閉塞手段により不要な吸気口を閉塞することにより、レンジフードの排気能力を増強することなく効率的に排気することができ、しかもワークトップ上で使用する調理器具の場所を移動した場合でも、閉塞部材の設置位置を容易に変更することができ、調理器具の使用場所の自由度を高めることができる。
【００２４】
なお、本実施の形態においては飾縁をアルミの押し出し材からなる中空の略四角柱の形状としたが、これに限るものではなく、樹脂や木質の材料を使用し、特に前面部に曲面備えた形状等各種の材質、形状を採用することが可能である。
【００２５】
また吸気口は飾縁の前辺部の背面に配設したが、これに限ることではなく、前辺部の下面または背面と下面の両方等の位置へ配設することも可能であり、飾縁の側辺に配設することも可能である。
【００２６】
（実施の形態２）
図６は本発明の第２の実施の形態における厨房装置の正面図を示し、図７は同厨房装置の飾縁の前辺部の背面からの斜視図を示すものである。
【００２７】
本実施の形態が第１の実施の形態と異なる点は、図に示すように飾縁１８の前辺部１８ａの背面のほぼ全幅に亘り設けたスリット１８ｃを吸気口１８ｂとした点である。また、これに対応して閉塞部材１９も前記スリット１８ｃに着脱自在な形状とし、閉塞部材１９は互いに連接して設置することが可能な形状としている。
【００２８】
なお、実施の形態１と同一符号のものは同一構造を有し、説明は省略する。
【００２９】
吸気口を飾縁の全幅に亘るスリットとすることにより、飾縁を設置した全ての場所で効果的に蒸気や臭気を吸引することができるので、蒸気や臭気が発生する調理器具を使用する場所がより限定されず、使い勝手のよい厨房装置を提供することが可能となる。また、飾縁をアルミや樹脂の押し出し加工で製造する場合、後加工で吸気口を開ける必要がなく生産性を高めることができる。
【産業上の利用可能性】
【００３０】
以上のように、本発明にかかる厨房装置は、広い範囲で器具や材料から発生する蒸気や臭気を効果的に排気することが可能となるので、キッチンに限らず洗面台や実験台などの用途にも適用できる。
【図面の簡単な説明】
【００３１】
【図１】本発明の実施の形態１における厨房装置の斜視図
【図２】本発明の実施の形態１における厨房装置の正面図
【図３】本発明の実施の形態１における厨房装置の要部断面図
【図４】本発明の実施の形態１における厨房装置の飾縁の前辺部の斜視図
【図５】本発明の実施の形態１における厨房装置の飾縁の前辺部の断面図
【図６】本発明の実施の形態２における厨房装置の正面図
【図７】本発明の実施の形態２における厨房装置の飾縁の前辺部の斜視図
【図８】従来の厨房装置の正面図
【符号の説明】
【００３２】
９  ワークトップ
１０  加熱調理器
１３  レンジフード
１４  吊り戸棚
１４ａ  底面
１５、１８  飾縁
１５ｂ、１８ｂ  吸気口
１７  閉塞部材（閉塞手段）
１８ｃ  スリット
【図１】
2006167158.tif 000003
【図２】
2006167158.tif 000004
【図３】
2006167158.tif 000005
【図４】
2006167158.tif 000006
【図５】
2006167158.tif 000007
【図６】
2006167158.tif 000008
【図７】
2006167158.tif 000009
【図８】
2006167158.tif 000010